(57)【要約】【課題】室内の景観を保持しつつ、古紙で満杯になった古紙回収袋を古紙収納箱から容易に取り出せることができるようにすると共に、古紙回収袋を拡げた状態に保持する。【解決手段】本発明は、古紙回収袋を囲繞するよう設けられた囲い部材３を備えており、囲い部材３は前記古紙回収袋が水平移動可能となるよう古紙回収袋２の外周４面の少なくとも１面は開放されるように形成され、囲い部材３には古紙回収袋２を固定するための固定手段４が設けられていることを特徴とするため、古紙回収袋２は水平移動が可能となり、古紙回収袋が満杯になっても持ち上げることなく容易に古紙収納箱１から取り出すことができる。【選択図】図１
2007197099.tif 000002
【特許請求の範囲】
【請求項１】
古紙回収袋を囲繞するよう設けられた囲い部材を備えており、該囲い部材は前記古紙回収袋が水平移動可能となるよう前記古紙回収袋の外周４面の少なくとも１面は開放されるように形成され、前記囲い部材には前記古紙回収袋を固定するための固定手段が設けられていることを特徴とする古紙収納箱。
【請求項２】
前記囲い部材は、前記古紙回収袋を載置する底板と、前記古紙回収袋の両側面を覆う側板と、前記古紙回収袋の後面を覆う後板とにより箱状に形成されている請求項１に記載の古紙収納箱。
【請求項３】
前記囲い部材は、折曲可能な折り目を備えた板状部材から形成され、該板状部材を前記折り目に沿って折曲することにより箱状に組み立て可能に構成されている請求項２に記載の古紙収納箱。
【請求項４】
前記固定手段は、上下方向に通孔が形成され、前記囲い部材に固定される筒状の支持部と、該支持部の通孔に遊貫し、上下方向に摺動可能な針金状部材から成る摺動部とにより構成され、該摺動部は、上方部が前記囲い部材の内側に折り返されて逆Ｕ字形に形成されており、下端部には前記通孔より太径のストッパー部が形成されている請求項１〜３のいずれか１の請求項に記載の古紙収納箱。
【発明の詳細な説明】
【技術分野】
【０００１】
本発明は、新聞等の古紙を回収する古紙回収袋を収納する古紙収納箱に関する。
【背景技術】
【０００２】
各家庭で読み終えた新聞や広告等の古紙は、新聞販売店から折畳まれた状態で無料配布され、拡げた状態で使用される古紙回収袋に一時ストックされた後に廃棄されることが多い。しかし、この古紙回収袋は、床に置こうとして拡げても折畳まれていた元の状態に戻ろうとするため古紙を投入するための開口が確保しにくいと共に見栄えが悪い。このような要因により、古紙回収袋は、使用しにくく、また、室内の景観を損ねるといった問題を引き起こしている。
【０００３】
そこで、従来、古紙回収袋を使いやすくさせるため、古紙回収袋を収納可能なように有底角筒状に形成された古紙収納箱が知られている（出願人は、公知公用の技術に基づき発明したために先行技術文献を知らない）。
【発明の開示】
【発明が解決しようとする課題】
【０００４】
しかしながら、上記した従来の古紙収納箱は外周４面が囲われているため、古紙を廃棄する際には、古紙が満杯となって重くなった古紙回収袋を持ち上げなければならず、多大な労力を必要とするといった問題があった。
【０００５】
また、古紙回収袋は周囲が固定されないため、古紙収納箱に収納されても元の折畳まれた状態に戻ろうとし、古紙を投入するための開口が十分確保できず古紙を投入しにくいといった問題もあった。
【０００６】
本発明は、上記した課題を解決すべくなされたものであり、古紙で満杯になった古紙回収袋を古紙収納箱から容易に取り出せることができるようにすると共に、古紙回収袋を拡げた状態に保持し、古紙を投入しやすくする古紙収納箱を提供することを目的とするものである。
【課題を解決するための手段】
【０００７】
本発明は、古紙回収袋を囲繞するよう設けられた囲い部材を備えており、該囲い部材は前記古紙回収袋が水平移動可能となるよう前記古紙回収袋の外周４面の少なくとも１面は開放されるように形成され、前記囲い部材には前記古紙回収袋を固定するための固定手段が設けられていることを特徴とする。
【０００８】
また、前記囲い部材は、前記古紙回収袋を載置する底板と、前記古紙回収袋の両側面を覆う側板と、前記古紙回収袋の後面を覆う後板とにより箱状に形成されていてもよい。
【０００９】
さらに、前記囲い部材は、折曲可能な折り目を備えた板状部材から形成され、該板状部材を前記折り目に沿って折曲することにより箱状に組み立て可能に構成されていてもよい。
【００１０】
さらにまた、前記固定手段は、上下方向に通孔が形成され、前記囲い部材に固定される筒状の支持部と、該支持部の通孔に遊貫し、上下方向に摺動可能な針金状部材から成る摺動部とにより構成され、該摺動部は、上方部が前記囲い部材の内側に折り返されて逆Ｕ字形に形成されており、下端部には前記通孔より太径のストッパー部が形成されていてもよい。
【発明の効果】
【００１１】
本発明によれば、古紙回収袋は水平移動が可能なため、古紙回収袋が満杯になっても持ち上げることなく容易に古紙収納箱から取り出すことができるという効果を得ることができる。また、古紙回収袋は、囲い部材に設けられた固定手段によって囲い部材に固定されるため、折畳まれた状態に戻ることなく拡げた状態に保持される。従って、古紙回収袋に古紙を投入しやすくなる。
【００１２】
さらに、古紙回収袋は周囲が囲い部材によって囲われるため室内の景観を損ねることがないという効果を得ることができる。
【００１３】
さらにまた、囲い部材は、板状部材を折曲することにより形成されているため、使用しないときは折畳んで収納しておくことができ、省スペース化を図ることができる。
【発明を実施するための最良の形態】
【００１４】
以下、図面を参照しつつ本発明の実施の形態に係る古紙収納箱について説明する。なお、以下の説明では、古紙回収箱に古紙回収袋を装着した場合について説明する。ここで、図１は本発明の実施の形態に係る古紙収納箱を示す斜視図、図２は本実施の形態に係る古紙収納箱を示す図１のＡ−Ａ断面図である。
【００１５】
本実施の形態に係る古紙収納箱１は、古紙回収袋２を囲繞するよう箱状に形成された囲い部材３から構成されている。古紙回収袋２は、新聞販売店から折畳んだ状態で無料配布され、拡げた状態では上部から雑誌や四つ折りにした新聞を投入可能な開口が形成される紙袋である。
【００１６】
囲い部材３は、ダンボール等の紙製で、古紙回収袋２が載置される矩形状の底板９と、底板９の両側に立設され、古紙回収袋２の両側面１２，１２をそれぞれ覆う側板７，７と、各側板７，７間に設けられ、古紙回収袋２の後面１３を覆う後板８とによって、上面１０と前面１１が開放されるように形成されている。そして、囲い部材３は、底板９が古紙回収袋２より僅かに大きく、高さが古紙回収袋２と略同一となるように、古紙回収袋２の大きさに合わせて形成されている。また、各側板７，７には、各側板７，７と古紙回収袋２とを固定するための固定具４が設けられている。
【００１７】
固定具４は、囲い部材３に固定される支持部５と、支持部５によって上下方向に摺動可能に支持される摺動部６とにより構成されている。
【００１８】
支持部５は、上下方向に通孔２１が形成されて筒状を成しており、各側板７，７の外面１６，１６の前方部分と後方部分にそれぞれ固着されている。
【００１９】
摺動部６は針金状部材から構成されており、摺動部６の上方部１７は側板７の内側に折り返されて逆Ｕ字形を成し、この上方部１７により側板７及び古紙回収袋２を挟持することができるようになっている。また、摺動部６の下端部１９には、ストッパー部２０が支持部５の通孔２１より太径に形成されており、摺動部６を上方に摺動させてストッパー部２０を支持部５の下端部２２に当接させた状態で、上方部１７の下端部１８が側板７の上端１５より上方に位置するようになっている。
【００２０】
このような構成を備えた囲い部材３に古紙回収袋２を装着する場合には、まず、各摺動部６を、上方部１７の下端部１８が側板７の上端１５より上方に位置するように、支持部５の通孔２１に沿って上方に押し上げる。このとき、摺動部６は下端部１９にストッパー部２０が形成されているため支持部５から抜け出ることはない。
【００２１】
そして、このように摺動部６を上方に摺動させた状態で、拡げた古紙回収袋２を、囲い部材３の開放されている前面１１から底板９に載置し、古紙回収袋２の両側面１２，１２を側板７で覆うと共に古紙回収袋２の後面１３を後板８で覆う。その後、上方部１７が側板７の上端１５に当接するまで、各摺動部６を支持部５の通孔２１に沿って下方に摺動させると、上方部１７が側板７と古紙回収袋２の側面１２とを挟持し、古紙回収袋２は囲い部材３に固定される。
【００２２】
この時、古紙回収袋２は、各側板７，７の外面１６，１６の前方部分と後方部分にそれぞれ設けられた固定具４により、上部の開口部１４が雑誌や４つ折りの新聞等の古紙を投入するのに十分な大きさを確保した状態で古紙収納箱１に収納されるため、古紙回収袋２の上部から雑誌や四つ折りの新聞等の古紙を容易且つ円滑に投入することができるようになる。
【００２３】
その後、古紙回収袋２が古紙で満杯になった時には、摺動部６を支持部の通孔２１に沿って上方に押し上げた後、古紙回収袋２を囲い部材３の前面１１から水平移動させて引き出し、古紙回収箱１から取り出す。
【００２４】
このように、本実施の形態に係る古紙回収箱１によれば、囲い部材３の前面１１が開放されているため、古紙で満杯になり、重くなった古紙回収袋２を古紙収納箱１から持ち上げることなく水平に取り出し、廃棄することができる。したがって、古紙及び古紙回収袋２の廃棄作業が容易となり、労力の軽減を図ることができる。
【００２５】
なお、上記した実施の形態において説明した囲い部材３の形状や構造は、上記したものに限定する趣旨ではなく、例えば、折曲可能な折り目を備えた板状部材から形成し、該板状部材を折り目に沿って折曲することにより箱状に組み立て可能なように構成したり、或いは、板状部材以外の鉛直部材を底板９の四隅に立設し、該各鉛直部材の上端部に水平部材を掛け渡して枠状に構成したりする等、各種変更が可能である。
【００２６】
また、囲い部材３は、ダンボール以外の厚紙製やプラスティック製であってもよく、古紙収納箱１の底板９にキャスターを取り付けて、移動可能に構成したり、或いは、持ち運び用の把手を取り付けたりすることも可能である。
【００２７】
さらに、囲い部材３の前面には、開閉式の扉を設けることも可能であり、また、囲い部材３の外面には模様を施すことも可能である。
【００２８】
さらにまた、上記した固定具４は、固定手段の単なる例示に過ぎず、例えは、クリップ状に形成して古紙回収袋２と側板７の上端部とを挟持するように構成する等、各種変更が可能である。
【００２９】
さらに、古紙収納箱１には、新聞販売店から無料配布される古紙回収袋だけでなく、スーパーや百貨店その他の量販店等において使用されている袋や、各自治体指定のゴミ回収袋等、他の袋でも装着可能であることはいうまでもない。
【図面の簡単な説明】
【００３０】
【図１】本発明の実施の形態に係る古紙収納箱を示す斜視図である。
【図２】本発明の実施の形態に係る古紙収納箱を示す図１のＡ−Ａ断面図である。
【符号の説明】
【００３１】
１    古紙収納箱
２    古紙回収袋
３    囲い部材
４    固定具
５    支持部
６    摺動部
７    側板
８    後板
９    底板
２０  ストッパー部
２１  通孔
【図１】
2007197099.tif 000003
【図２】
2007197099.tif 000004